(57)【要約】【課題】携帯端末２０においてユーザの要望に応じて瞬時電力値をスマートメーター１０から取得して瞬時電力値を表示する。【解決手段】携帯端末２０において、マイクロコンピュータ２１は、タッチパネル２２に対してユーザから押下されたとステップＳ１１０でＹＥＳと判定したとき、瞬時電力値の取得を要求するための要求信号をスマートメーター１０に対して送信する（ステップＳ１２０）。マイクロコンピュータ２１は、要求信号に応答してスマートメーター１０から送信される瞬時電力値情報に基づいて瞬時電力値をタッチパネル２２に表示させる（ステップＳ１４０）。【選択図】図１
2019193333.tif 000002
【特許請求の範囲】
【請求項１】
電力系統（２）および電気機器（４０）のうち一方から他方へ供給される電力の瞬時値を検出するスマートメーター（１０）との間で通信する端末（２０）であって、
操作部（２２）に対してユーザから操作されたか否かを判定する操作判定部（Ｓ１１０）と、
前記操作部に対して前記ユーザから操作されたと前記操作判定部が判定したとき、前記電力の瞬時値を示す瞬時電力値情報を要求するための要求信号を前記スマートメーターに対して送信する送信部（Ｓ１２０）と、
前記要求信号に応答して前記スマートメーターから送信される前記瞬時電力値情報に基づいて前記電力の瞬時値を表示部（２２）に表示させる電力表示制御部（Ｓ１４０）と、
を備える端末。
【請求項２】
前記操作判定部は、前記操作部のうち操作判定領域に対してユーザが操作したか否かを判定し、
前記操作部のうち前記操作判定領域と前記表示部のうち前記電力の瞬時値を表示する表示領域（２２ａ）が重なるように前記表示部および前記操作部が構成されている請求項１に記載の端末。
【請求項３】
前記操作部に対して前記ユーザから操作されたと前記操作判定部が判定したときから、前記電力表示制御部が前記電力の瞬時値を前記表示部に表示させる迄の間に、前記瞬時電力値情報を前記スマートメーターから取得中である旨を前記表示部に表示させる取得中表示制御部（Ｓ１４１）を備える請求項１または２に記載の端末。
【請求項４】
前記送信部が前記要求信号を前記スマートメーターに対して送信したときから一定期間（Ｔａ）の間に亘って、前記スマートメーターに要求信号を送信することを停止する停止部（Ｓ１４７）を備える請求項３に記載の端末。
【請求項５】
前記送信部から前記要求信号を前記スマートメーターに対して送信することを前記停止部が停止している場合において、前記電力表示制御部が前記電力の瞬時値を前記表示部に表示させているとき、前記スマートメーターへアクセスすることが制限されて前記瞬時電力値情報を前記スマートメーターから取得することができない旨を前記表示部に表示させるアクセス制限表示制御部（Ｓ１４６）を備える請求項４に記載の端末。
【請求項６】
前記送信部が前記要求信号を前記スマートメーターに対して送信した後、前記スマートメーターから前記瞬時電力値情報を取得することを失敗したか否かを判定する失敗判定部（Ｓ１４４、Ｓ１４３）と、
前記スマートメーターから前記瞬時電力値情報を取得することを失敗し、かつ前記スマートメーターから前記瞬時電力値情報を取得することが可能である旨を前記表示部に表示させる失敗表示制御部（Ｓ１５４）と、を備え、
前記スマートメーターから前記瞬時電力値情報を取得することを失敗したと前記失敗判定部が判定した場合において、前記取得中表示制御部は、前記一定期間（Ｔａ）が終了する迄、前記瞬時電力値情報を前記スマートメーターから取得中である旨の表示を継続させるように前記表示部を制御し、
前記失敗表示制御部は、前記一定期間の終了後、前記スマートメーターから前記瞬時電力値情報を取得することを失敗し、かつ前記スマートメーターから前記瞬時電力値情報を取得することが可能である旨を前記表示部に表示させる請求項４に記載の端末。
【請求項７】
前記スマートメーターとの間で電力制御装置（５０）を介して前記瞬時電力値情報および前記要求信号を伝える通信部（２３）と、
端末自体が前記スマートメーターから前記瞬時電力値情報を取得するのに必要である通信以外の他の通信を前記スマートメーターおよび前記電力制御装置の間で行っているか否かを判定する通信判定部（Ｓ１７０）と、
前記他の通信を前記スマートメーターおよび前記電力制御装置の間で行っていると前記通信判定部が判定したとき、前記スマートメーターから前記瞬時電力値情報を取得することができない旨を前記表示部に表示させる取得不能表示制御部（Ｓ１７１）と、を備える請求項１ないし６のいずれか１つに記載の端末。
【請求項８】
前記電力の瞬時値を前記瞬時電力値情報を取得した時刻とともに、前記表示部に表示させる前記電力表示制御部と、
前記瞬時電力値情報を取得した日付から日付が変更になったか否かを判定する日付判定部（Ｓ１６０）と、
前記瞬時電力値情報を取得した日付から日付が変更になったと前記日付判定部が判定したとき、前記表示部における前記電力の瞬時値の表示と前記瞬時電力値情報を取得した時刻の表示とを消去する表示消去制御部（Ｓ１６１）と、
請求項１ないし７のいずれか１つに記載の端末。
【請求項９】
前記スマートメーターに前記要求信号を定期的に送信する電力制御装置（５０）を備え、前記スマートメーターが前記電力制御装置から定期的に送信される前記要求信号に応答して前記瞬時電力値情報を定期的に送信するエネルギー管理システムに適用され、
前記スマートメーターから定期的に送信される前記瞬時電力値情報に基づいて、前記表示部における前記電力の瞬時値の表示を更新する表示更新制御部（Ｓ１８１）を備える請求項１ないし８のいずれか１つに記載の端末。
【請求項１０】
請求項１ないし８のいずれか１つに記載の端末（２０）および電力制御装置（５０）を備えるエネルギー管理システムであって、
前記電力制御装置は、
前記瞬時電力値情報を要求するための要求信号を定期的に前記スマートメーターに送信する送信部（Ｓ３１０）と、
前記要求信号に応答して前記スマートメーターから送信される前記瞬時電力値情報を前記端末に転送する転送部（Ｓ３３０）と、を備え、
前記端末は、前記電力制御装置から転送される前記瞬時電力値情報に基づいて、前記表示部における前記電力の瞬時値の表示を更新する表示更新制御部（Ｓ１８１）を備えるエネルギー管理システム。
【請求項１１】
電力系統（２）および電気機器（４０）のうち一方から他方へ供給される電力の瞬時値を検出するスマートメーター（１０）との間で通信する端末（２０）に適用されるプログラムであって、
操作部（２２）に対してユーザから操作されたか否かを判定する操作判定部（Ｓ１１０）と、
前記操作部に対して前記ユーザから操作されたと前記操作判定部が判定したとき、前記電力の瞬時値を示す瞬時電力値情報を要求するための要求信号を前記スマートメーターに対して送信する送信部（Ｓ１２０）と、
前記要求信号に応答して前記スマートメーターから送信される前記瞬時電力値情報に基づいて前記電力の瞬時値を表示部（２２）に表示させる電力表示制御部（Ｓ１４０）として、コンピュータを機能させるプログラム。
【発明の詳細な説明】
【技術分野】
【０００１】
本発明は、端末、プログラム、およびエネルギー管理システムに関するものである。
【背景技術】
【０００２】
従来、エネルギー管理システムでは、スマートメーター、エネルギー制御装置、および表示端末を備えるものがある（例えば、特許文献１参照）。
【０００３】
このものにおいて、エネルギー制御装置は、スマートメーターから定期的に電力情報を取得する。表示端末は、エネルギー制御装置から定期的に（或いは、ユーザの要望に応じて）電力情報を取得して表示する。
【先行技術文献】
【特許文献】
【０００４】
【特許文献１】特開２０１５−１７１２７７号公報
【発明の概要】
【発明が解決しようとする課題】
【０００５】
上記特許文献１のエネルギー管理システムでは、エネルギー制御装置は、スマートメーターから定期的に電力情報を取得する。このため、表示端末がユーザの要望に応じて電力情報をエネルギー制御装置から取得して表示しても、ユーザが望んだタイミングでリアルタイムに瞬時電力値を更新、表示することが難しいという問題があった。
【０００６】
例えば、エネルギー制御装置がスマートメーターから電力情報を取得する頻度を1分に1回とすると、ユーザが現在の瞬時電力値を知りたいと思っても、ユーザは、エネルギー制御装置がスマートメーターから電力情報を取得するタイミングから数十秒前や数十秒後のタイミングの瞬時電力値しか知ることができない場合がある。
【０００７】
ここで、電力情報（例えば、瞬時電力値）という特性上、数十秒ずれた値しか分からないのはユーザにとって不都合となりうる。例えば、電子レンジを使ってもブレーカが動作しないか確認したいといった場合には、その瞬間の電力値を知る必要がある。
【０００８】
本発明は上記点に鑑みて、ユーザの要望に応じて瞬時電力値をスマートメーターから取得して瞬時電力値を表示することができる端末、プログラム、およびエネルギー管理システムを提供することを目的とする。
【課題を解決するための手段】
【０００９】
上記目的を達成するため、請求項１に記載の発明では、電力系統（２）および電気機器（４０）のうち一方から他方へ供給される電力の瞬時値を検出するスマートメーター（１０）との間で通信する端末であって、
操作部（２２）に対してユーザから操作されたか否かを判定する操作判定部（Ｓ１１０）と、
操作部に対してユーザから操作されたと操作判定部が判定したとき、電力の瞬時値を示す瞬時電力値情報を要求するための要求信号をスマートメーターに対して送信する送信部（Ｓ１２０）と、
要求信号に応答してスマートメーターから送信される瞬時電力値情報に基づいて電力の瞬時値を表示部（２２）に表示させる電力表示制御部（Ｓ１４０）と、を備える。
【００１０】
したがって、操作部に対してユーザから操作されたときに、電力の瞬時値を表示部に表示させることができる。これにより、ユーザの要望に応じて瞬時電力値をスマートメーターから取得して瞬時電力値を表示することができる端末を提供することができる。
【００１１】
請求項１０に記載の発明では、請求項１ないし８のいずれか１つに記載の端末（２０）および電力制御装置（５０）を備えるエネルギー管理システムであって、
電力制御装置は、
瞬時電力値情報を要求するための要求信号を定期的にスマートメーターに送信する送信部（Ｓ３１０）と、
要求信号に応答してスマートメーターから送信される瞬時電力値情報を端末に転送する転送部（Ｓ３３０）と、を備え、
端末は、電力制御装置から転送される瞬時電力値情報に基づいて、表示部における電力の瞬時値の表示を更新する表示更新制御部（Ｓ１４０ａ）を備える。
【００１２】
これにより、ユーザの要望に応じて瞬時電力値情報の表示を更新することに加えて、瞬時電力値情報の表示を定期的に更新することができる。
【００１３】
請求項１１に記載の発明では、電力系統（２）および電気機器（４０）のうち一方から他方へ供給される電力の瞬時値を検出するスマートメーター（１０）との間で通信する端末（２０）に適用されるプログラムであって、
操作部（２２）に対してユーザから操作されたか否かを判定する操作判定部（Ｓ１１０）と、
操作部に対してユーザから操作されたと操作判定部が判定したとき、電力の瞬時値を示す瞬時電力値情報を要求するための要求信号をスマートメーターに対して送信する送信部（Ｓ１２０）と、
要求信号に応答してスマートメーターから送信される瞬時電力値情報に基づいて電力の瞬時値を表示部（２２）に表示させる電力表示制御部（Ｓ１４０）として、コンピュータを機能させるプログラムである。
【００１４】
以上により、請求項１に記載に記載の端末に適したプログラムを提供することができる。
【００１５】
なお、この欄および特許請求の範囲で記載した各手段の括弧内の符号は、後述する実施形態に記載の具体的手段との対応関係を示すものである。
【図面の簡単な説明】
【００１６】
【図１】本発明の第１実施形態におけるエネルギー管理システムの全体構成を示す図である。
【図２】図１のスマートメーターの詳細構成を示す図である。
【図３】図１の携帯端末の詳細構成を示す図である。
【図４】図１の電力制御装置の詳細構成を示す図である。
【図５】（ａ）は、図１の携帯端末のマイクロコンピュータによる電力値表示制御処理を示すフローチャートであり、（ｂ）は、図１のスマートメーターのマイクロコンピュータによる電力情報送信処理を示すフローチャートである。
【図６】図１の携帯端末のタッチパネルにおいて瞬時電力値を示す表示画像である。
【図７】（ａ）は、図６において、ユーザの住宅から商用電力系統へ電力が供給されている状態を示す電力識別アイコン２２ｃを表示する電力情報取得ボタン２２ａを示す図である。（ｂ）は、商用電力系統からユーザの住宅の電力が供給されている状態を示す電力識別アイコン２２ｃを表示する電力情報取得ボタン２２ａを示す図である。
【図８】（ａ）は、「ユーザの住宅から商用電力系統へ電力が供給されている状態を示す電力識別アイコン２２ｃ」と「瞬時電力値２２ｂを更新した状態」とを表示する電力情報取得ボタン２２ａを示す図である。（ｂ）は、図６において「商用電力系統からユーザの住宅の電力が供給されている状態を示す電力識別アイコン２２ｃ」と「瞬時電力値２２ｂを更新した状態」とを表示する電力情報取得ボタン２２ａを示す図である。
【図９】本発明の第２実施形態におけるエネルギー管理システムの携帯端末のマイクロコンピュータによる電力値表示制御処理を示すフローチャートである。
【図１０】第２実施形態におけるスマートメーターのマイクロコンピュータによる電力情報送信処理を示すフローチャートである。
【図１１】（ａ）は、第２実施形態において「ユーザの住宅から商用電力系統へ電力が供給されている状態を示す電力識別アイコン２２ｃ」と「電力情報取得中アイコン２２ｅ（「取得中）」とを表示する電力情報取得ボタン２２ａを示す図である。（ｂ）は、第２実施形態において「商用電力系統からユーザの住宅の電力が供給されている状態を示す電力識別アイコン２２ｃ」と「電力情報取得中アイコン２２ｅ（「取得中」）」を表示する電力情報取得ボタン２２ａを示す図である。
【図１２】（ａ）は、第２実施形態において「ユーザの住宅から商用電力系統へ電力が供給されている状態を示す電力識別アイコン２２ｃ」と「スマートメーターへのアクセスが制限されている状態」とを表示する電力情報取得ボタン２２ａを示す図である。（ｂ）は、第２実施形態において「商用電力系統からユーザの住宅の電力が供給されている状態を示す電力識別アイコン２２ｃ」と「スマートメーターへのアクセスが制限されている状態」を表示する電力情報取得ボタン２２ａを示す図である。
【図１３】第２実施形態においてスマートメーターから携帯端末が瞬時電力値の取得を失敗したことを通知するための電力情報取得ボタン２２ａを示す図である。
【図１４】第３実施形態において携帯端末のマイクロコンピュータによるリセット表示処理を示すフローチャートである。
【図１５】第３実施形態において携帯端末のタッチパネルの表示画像において更新時刻がリセットされた状態を示す図である。
【図１６】第４実施形態において電力制御装置のマイクロコンピュータによる通信判定処理を示すフローチャートである。
【図１７】第４実施形態において携帯端末のマイクロコンピュータによる他の通信表示処理を示すフローチャートである。
【図１８】（ａ）は、第４実施形態において「ユーザの住宅から商用電力系統へ電力が供給されている状態を示す電力識別アイコン２２ｃ」と「スマートメーターが他の通信を実施していることを示す他の通信表示アイコン２２ｈ」とを表示する電力情報取得ボタン２２ａを示す図である。（ｂ）は、第４実施形態において「商用電力系統からユーザの住宅の電力が供給されている状態を示す電力識別アイコン２２ｃ」と「マートメーターが他の通信を実施していることを示す他の通信表示アイコン２２ｈ」を表示する電力情報取得ボタン２２ａを示す図である。
【図１９】（ａ）は、本発明の第５実施形態において電力制御装置のマイクロコンピュータによる定期電力値転送処理を示すフローチャートである。（ｂ）は、携帯端末のマイクロコンピュータによる電力値表示更新処理を示すフローチャートである。
【発明を実施するための形態】
【００１７】
以下、本発明の実施形態について図に基づいて説明する。なお、以下の各実施形態相互において、互いに同一もしくは均等である部分には、説明の簡略化を図るべく、図中、同一符号を付してある。
【００１８】
（第１実施形態）
次に、本発明の端末が適用されるエネルギー管理システム１の第１実施形態について図１〜図３を参照して説明する。
本実施形態のエネルギー管理システム１は、ユーザの住宅内のエネルギー管理を行うシステムであって、スマートメーター１０、携帯端末２０、分電盤３０、電気機器群４０、および電力制御装置５０を備える。
【００１９】
スマートメーター１０は、住宅に設置される電力計測装置である。具体的には、スマートメーター１０は、商用電力系統２および電気機器群４０のうち一方から他方へ供給される電力量、瞬時電力値を検出する。すなわち、スマートメーター１０は、ユーザが電力会社に売却する電力量、瞬時電力値、或いは電力会社からユーザが購入する電力量、瞬時電力値を検出する。
【００２０】
具体的には、スマートメーター１０は、マイクロコンピュータ１１、電力検出器１２、通信部１３、および電池１４を備える。
【００２１】
マイクロコンピュータ１１は、電力検出器１２の検出値に基づいて電力量、瞬時電力値を求め、この求めた電力量、瞬時電力値を通信部１３から電力制御装置５０を経由してユーザの携帯端末２０に送信する電力情報送信処理を実行する。
【００２２】
電力検出器１２は、商用電力系統２および電気機器群４０のうち一方から他方へ供給される瞬時電力値を検出する。商用電力系統２は、電力会社によって管理されるもので、発電所等で発電される商用交流電力をユーザ毎の施設等に供給する系統である。
【００２３】
通信部１３は、アンテナ１３ａを介して電力制御装置５０との間で無線通信を行う通信回路である。電池１４は、マイクロコンピュータ１１、電力検出器１２、および通信部１３等に直流電力を供給する。
【００２４】
電気機器群４０は、住宅内に配置される複数の電気機器であって、分電盤３０および電力配線３１を通して商用電力系統２に接続されている。
【００２５】
具体的には、電気機器群４０は、太陽光発電機４１、蓄電池４２、および家電機器４３を備える。太陽光発電機４１は、太陽光によって発電する発電機である。蓄電池４２は、太陽光発電機４１によって発電された電力や商用電力系統２から供給される電力を蓄える二次電池である。家電機器４３は、洗濯機、空調機、テレビ、パソコン等で電力を消費して稼働する機器である。
【００２６】
携帯端末２０は、スマートメーター１０、および電力制御装置５０とともに、無線通信による通信ネットワークを構成する。具体的には、携帯端末２０は、図３に示すように、マイクロコンピュータ２１、タッチパネル２２、通信部２３、アンテナ２３ａ、および電池２４を備える。
【００２７】
マイクロコンピュータ２１は、電力制御装置５０を介するスマートメーター１０との間の通信によって瞬時電力値を取得してタッチパネル２２に表示させる電力値表示制御処理を実行する。
【００２８】
マイクロコンピュータ２１は、電力値表示制御処理の実行に伴って、通信部２３およびアンテナ２３ａを介して電力制御装置５０との間で無線通信を行う。
【００２９】
タッチパネル２２は、ユーザから押下（或いは、タッチ操作）を受ける透明操作部と瞬時電力値や各種のアイコンを表示する表示パネルとを備える。透明操作部は、表示パネルに対して厚み方向に重なるように配置されている。本実施形態の透明操作部は、表示パネルに対して裏面側に配置されている。
【００３０】
通信部２３は、アンテナ２３ａを介して電力制御装置５０との間で無線通信を行う。電池２４は、マイクロコンピュータ２１、タッチパネル２２、通信部２３等に直流電力を供給する。
【００３１】
本実施形態の携帯端末２０としては、携帯電話（例えば、スマートフォン）やタブレットコンピュータを用いることができる。
【００３２】
電力制御装置５０は、マイクロコンピュータ５１、通信部５２、アンテナ５２ａ、および電池５３を備える。マイクロコンピュータ５１は、電気機器群４０等の管理やスマートメーター１０および携帯端末２０の間の通信の中継を実施するための制御処理を実行する。
【００３３】
通信部５２は、アンテナ５２ａを介してスマートメーター１０との間で無線通信し、またアンテナ５２ａを介して携帯端末２０との間で無線通信をする。電池５３は、マイクロコンピュータ５１および通信部５２に直流電力を供給する。
【００３４】
次に、本実施形態のエネルギー管理システム１の作動について図５〜図８を参照して説明する。
【００３５】
まず、太陽光発電機４１は、太陽光によって発電する。太陽光発電機４１によって発電された電力は、分電盤３０および電力配線３１を通して商用電力系統２に供給される。このことにより、太陽光発電機４１によって発電された電力が電力会社に販売されることになる。
【００３６】
また、太陽光発電機４１によって発電された電力の一部は、蓄電池４２や家電機器４３に供給される。このため、太陽光発電機４１によって発電された電力は、蓄電池４２に蓄電される。さらに、家電機器４３は、太陽光発電機４１によって発電された電力によって作動する。
【００３７】
さらに、太陽光発電機４１による発電が停止しているときには、商用電力系統２から分電盤３０および電力配線３１を通して家電機器４３や蓄電池４２に供給される。このため、家電機器４３は、商用電力系統２から分電盤３０および電力配線３１を通して供給される電力によって作動する。蓄電池４２は、商用電力系統２から分電盤３０および電力配線３１を通して供給される電力を蓄電することになる。
【００３８】
この際に、スマートメーター１０の電力検出器１２は、商用電力系統２および電気機器群４０のうち一方から他方へ供給される瞬時電力値を検出する。ここで、携帯端末２０は、ユーザの要望に応じて電力制御装置５０を通してスマートメーター１０から瞬時電力値を取得してタッチパネル２２に表示させる。
【００３９】
具体的には、携帯端末２０のマイクロコンピュータ２１は、図５（ａ）のフローチャートにしたがって、電力値表示制御処理を実行する。
【００４０】
スマートメーター１０のマイクロコンピュータ１１は、図５（ｂ）のフローチャートにしたがって、電力情報送信処理を実行する。
【００４１】
まず、携帯端末２０のマイクロコンピュータ２１は、図６に示すように、タッチパネル２２において電力情報取得ボタン２２ａを表示させる（ステップＳ１００）。
【００４２】
電力情報取得ボタン２２ａは、ユーザが瞬時電力値を知りたいときにユーザが押下（或いは、タッチ操作）することを促進させるアイコンである。本実施形態の電力情報取得ボタン２２ａとしては、円形の枠状のアイコンが採用されている。
【００４３】
具体的には、電力情報取得ボタン２２ａは、瞬時電力値２２ｂ、電力識別アイコン２２ｃ、電力値取得可能アイコン２２ｄを備える。
【００４４】
瞬時電力値２２ｂは、先だってスマートメーター１０から取得された瞬時電力値（例えば［３．４ｋＷ］）である。
【００４５】
電力識別アイコン２２ｃは、瞬時電力値２２ｂに対して上側に配置されている。電力識別アイコン２２ｃは、現在表示されている瞬時電力値２２ｂをユーザが電力会社に売却する電力の瞬時値であるのか、或いは電力会社からユーザが購入する電力の瞬時値であるのかを示すアイコンである。
【００４６】
本実施形態の図７（ａ）中の電力識別アイコン２２ｃでは、瞬時電力値２２ｂは「ユーザが電力会社に売却する瞬時電力値」であることを示している。つまり、図７（ａ）中の電力識別アイコン２２ｃは、瞬時電力値２２ｂが電気機器群４０から商用電力系統２に供給される電力の瞬時値である旨を示している。
【００４７】
図７（ｂ）中の電力識別アイコン２２ｃでは、瞬時電力値２２ｂは「電力会社からユーザが購入する瞬時電力値」であることを示している。つまり、図７（ｂ）中の電力識別アイコン２２ｃは、瞬時電力値２２ｂが商用電力系統２から電気機器群４０に供給される電力の瞬時値である旨を示している。
【００４８】
本実施形態では、電力識別アイコン２２ｃに含まれる矢印の向きにより「電力会社からユーザが購入する瞬時電力値」であるのか、或いは「ユーザが電力会社に売却する瞬時電力値」であるのかを区別している。
【００４９】
電力値取得可能アイコン２２ｄは、瞬時電力値２２ｂに対して下側に配置されている。電力値取得可能アイコン２２ｄは、現在、スマートメーター１０から瞬時電力値を取得できる状態であることを示している。
【００５０】
本実施形態では、電力値取得可能アイコン２２ｄとして「指で押下されるイラスト」が採用されている。
【００５１】
これに加えて、上記ステップＳ１００において、タッチパネル２２において電力情報取得ボタン２２ａの下側に瞬時電力値の更新時刻（図６中“１２：２４”と記す）を表示する。
【００５２】
ここで、更新時刻とは、携帯端末２０がスマートメータ−１０から瞬時電力値情報を電力制御装置５０を介して取得した取得時刻（すなわち、受信時刻）を示している。
【００５３】
次に、マイクロコンピュータ２１は、ユーザが電力情報取得ボタン２２ａを押下（或いは、タッチ操作）したか否かを判定する（ステップＳ１１０：操作判定部）。
【００５４】
ここで、タッチパネル２２において操作部の押下判定領域（すなわち、操作判定領域）と表示部の電力情報取得ボタン２２ａとが厚み方向にて重なるようにタッチパネル２２が構成されている。
【００５５】
つまり、タッチパネル２２において押下判定領域と電力情報取得ボタン２２ａとが同一領域になっている。このことにより、操作部の押下判定領域と瞬時電力値の表示領域とが重なるようにタッチパネル２２が構成されている。
【００５６】
このとき、マイクロコンピュータ２１は、ユーザが電力情報取得ボタン２２ａを押下したとき、押下判定領域が押下されたとして、ステップＳ１１０においてＹＥＳと判定する。
【００５７】
これに伴い、マイクロコンピュータ２１は、スマートメーター１０に対して瞬時電力値の取得を要求するための要求信号を通信部２３から送信させる（ステップＳ１２０）。このため、通信部２３はアンテナ２３ａから要求信号を電波を介して送信する。
【００５８】
この要求信号は、電力制御装置５０を経由してスマートメーター１０のアンテナ１３ａを介して通信部１３で受信される。
【００５９】
マイクロコンピュータ１１は、ステップＳ２００において、携帯端末２０からの要求信号を受信したか否かについて通信部１３の出力信号に基づいて判定する。
【００６０】
このとき、マイクロコンピュータ１１は、ステップＳ２００において、携帯端末２０からの要求信号を受信したとして、ＹＥＳと判定する。
【００６１】
このとき、マイクロコンピュータ１１は、電力検出器１２によって、商用電力系統２および電気機器群４０のうち一方から他方へ供給される瞬時電力値を検出する（ステップＳ２１０）。
【００６２】
具体的には、商用電力系統２から電気機器群４０に電力が供給されているときには、マイクロコンピュータ１１は、商用電力系統２から電気機器群４０に供給されている電力の瞬時値が瞬時電力値として検出する。
【００６３】
一方、電気機器群４０から商用電力系統２に電力が供給されているときには、マイクロコンピュータ１１は、電気機器群４０から商用電力系統２に供給されている電力の瞬時値が瞬時電力値として検出する。
【００６４】
これに加えて、マイクロコンピュータ１１は、瞬時電力値を含む瞬時電力値情報を通信部１３から送信させる（ステップＳ２２０）。このため、通信部１３は、アンテナ１３ａから瞬時電力値情報を送信する。
【００６５】
ここで、瞬時電力値情報は、瞬時電力値以外に、電力識別情報が含まれている。電力識別情報は、瞬時電力値がユーザから電力会社に売却される電力値であるのか、或いは瞬時電力値が電力会社からユーザが購入される電力値であるのかを示している。
【００６６】
つまり、電力識別情報は、電気機器群４０から商用電力系統２に電力が供給されている状態であるのか、或いは、商用電力系統２から電気機器群４０に電力が供給されている状態であるのかを示す情報である。
【００６７】
このような瞬時電力値情報は、電力制御装置５０を経由して携帯端末２０のアンテナ２３ａを介して通信部２３で受信される。
【００６８】
このとき、携帯端末２０のマイクロコンピュータ２１は、通信部２３を介して瞬時電力値情報を受信したか否かを判定する（ステップＳ１３０）。
【００６９】
ここで、通信部２３がアンテナ２３ａを介して瞬時電力値情報を受信していない場合には、マイクロコンピュータ２１は、瞬時電力値情報を受信していないとして、ステップＳ１３０において、ＮＯと判定する。
【００７０】
このため、瞬時電力値情報を受信しない状態が継続されると、ステップＳ１３０のＮＯ判定を繰り返す。
【００７１】
その後、通信部２３がアンテナ２３ａを通して瞬時電力値情報を受信すると、マイクロコンピュータ２１は、瞬時電力値情報を受信したとして、ステップＳ１３０において、ＹＥＳと判定する。
【００７２】
これに伴い、マイクロコンピュータ２１は、図８（ａ）或いは図８（ｂ）に示すように、タッチパネル２２において、瞬時電力値情報に基づいて電力情報取得ボタン２２ａの表示を更新させる（ステップＳ１４０：電力表示制御部）。
【００７３】
ここで、電力情報取得ボタン２２ａは、瞬時電力値２２ｂおよび電力識別アイコン２２ｃを備える。
【００７４】
瞬時電力値２２ｂは、スマートメーター１０から受信される瞬時電力値情報に含まれる瞬時電力値（例えば［４．０ｋＷ］）である。図８（ａ）、（ｂ）では、瞬時電力値が［３．４ｋＷ］から［４．０ｋＷ］）に更新された状態を示している。
【００７５】
このため、マイクロコンピュータ２１は、瞬時電力値情報に含まれる電力識別情報に応じて、図８（ａ）の電力識別アイコン２２ｃ、および図８（ｂ）の電力識別アイコン２２ｃのうち一方の電力識別アイコン２２ｃを選択してタッチパネル２２に表示させる（ステップＳ１４１：電力表示制御部）。
【００７６】
このことにより、電気機器群４０から商用電力系統２に電力が供給されている状態であるのか、或いは、商用電力系統２から電気機器群４０に電力が供給されている状態であるのかを電力識別アイコン２２ｃによってユーザに通知することができる。
【００７７】
このことにより、タッチパネル２２において電力識別アイコン２２ｃおよび瞬時電力値の表示を更新させることができる。これに加えて、ステップＳ１４０において、タッチパネル２２のうち瞬時電力値の更新時刻の表示を更新する。瞬時電力値の更新時刻としては、携帯端末２０が瞬時電力値情報を取得した取得時刻が用いられる。
【００７８】
図８（ａ）中の電力識別アイコン２２ｃは、電力会社に売却する瞬時電力値を示すアイコンである。図８（ｂ）中の電力識別アイコン２２ｃは、電力会社からユーザが購入する瞬時電力値を示すアイコンである。
【００７９】
以上説明した本実施形態によれば、携帯端末２０は、商用電力系統２および電気機器群４０のうち一方から他方へ供給される瞬時電力値を検出するスマートメーター１０との間で通信する端末である。
【００８０】
携帯端末２０は、タッチパネル２２の電力情報取得ボタン２２ａに対してユーザから押下されたか否かを判定する（操作判定部）ステップＳ１１０を備える。
【００８１】
携帯端末２０は、タッチパネル２２の電力情報取得ボタン２２ａに対してユーザから押下されたとステップＳ１１０でＹＥＳと判定したとき、瞬時電力値の取得を要求するための要求信号をスマートメーター１０に対して送信する（送信部）ステップＳ１２０を備える。
【００８２】
携帯端末２０は、要求信号に応答してスマートメーター１０から送信される瞬時電力値情報に基づいて瞬時電力値をタッチパネル２２の電力情報取得ボタン２２ａに表示させる（電力表示制御部）ステップＳ１４０を備える。
【００８３】
このことにより、高頻度でアクセスすることができないスマートメーター１０に対しても、ユーザが瞬時電力値を知りたいと思った瞬間の瞬時電力値を取得して携帯端末２０のタッチパネル２２に表示させることができる。
【００８４】
本実施形態では、タッチパネル２２において瞬時電力値２２ｂを含む電力情報取得ボタン２２ａを示す表示領域が押下判定対象となっている。ここで、押下判定対象は、ユーザが瞬時電力値の取得を要望した際にユーザから押下（或いは、タッチ操作）される領域である。
【００８５】
ここで、タッチパネル２２の電力情報取得ボタン２２ａのうち電力値取得可能アイコン２２ｄを示す表示領域を押下判定対象とした場合には、押下判定対象となる領域が狭すぎてユーザにとって押下し難く、操作性が悪くなる。
【００８６】
これに対して、本実施形態では、瞬時電力値２２ｂを含む電力情報取得ボタン２２ａを示す表示領域が押下判定対象とすることで押下判定領域（すなわち、操作判定領域）を拡大して、ユーザの操作性を向上させることができる。
（第２実施形態）
本第２実施形態では、上記第１実施形態において、瞬時電力値の要求信号をスマートメーター１０に対して送信してから、一定期間の間、スマートメーター１０に対するアクセスを制限する例について図９、図１０等を参照して説明する。
【００８７】
本実施形態のエネルギー管理システム１のハードウェア構成と上記第１実施形態のエネルギー管理システム１のハードウェア構成とは、同一である。
【００８８】
本実施形態と上記第１実施形態とは、携帯端末２０における電力値表示制御処理とスマートメーター１０における電力情報送信処理とが相違する。
【００８９】
次に、本実施形態のエネルギー管理システム１の作動について図５〜図８を参照して説明する。
【００９０】
本実施形態の携帯端末２０のマイクロコンピュータ２１は、図５（ａ）に代わる図９のフローチャートにしたがって、電力値表示制御処理を実行する。
【００９１】
スマートメーター１０のマイクロコンピュータ１１は、図５（ｂ）に代わる図１０のフローチャートにしたがって、電力情報送信処理を実行する。
【００９２】
ここで、図９において、図５（ａ）と同一の符号は同一の処理を示し、その説明を省略する。図１０において、図５（ｂ）と同一の符号は同一の処理を示し、その説明を省略する。
【００９３】
まず、携帯端末２０のマイクロコンピュータ２１は、タッチパネル２２において電力情報取得ボタン２２ａを表示させる（ステップＳ１００）。
【００９４】
次に、マイクロコンピュータ２１は、ユーザが電力情報取得ボタン２２ａを押下（或いは、タッチ操作）したか否かを判定する（ステップＳ１１０）。
【００９５】
このとき、マイクロコンピュータ２１は、ユーザが電力情報取得ボタン２２ａを押下したとき、ステップＳ１１０においてＹＥＳと判定する。
【００９６】
これに伴い、マイクロコンピュータ２１は、スマートメーター１０に対して瞬時電力値の取得を要求するための要求信号を通信部２３から送信させる（ステップＳ１２０）。このため、通信部２３はアンテナ２３ａから要求信号を電波を介して送信する。要求信号には、後述する認証に用いられる識別番号が含まれる。
【００９７】
このとき、マイクロコンピュータ２１は、図１１に示すように、タッチパネル２２において電力情報取得ボタン２２ａのうち電力値取得可能アイコン２２ｄに代わる電力情報取得中アイコン２２ｅを表示させる（ステップＳ１４１：取得中表示制御部）。
【００９８】
電力情報取得中アイコン２２ｅは、現在、スマートメーター１０から瞬時電力値を取得中であることを示している。電力情報取得中アイコン２２ｅは、次に瞬時電力値の表示の更新が行われるまで表示される。
【００９９】
この要求信号は、電力制御装置５０を経由してスマートメーター１０のアンテナ１３ａを介して通信部１３で受信される。
【０１００】
スマートメーター１０のマイクロコンピュータ１１は、ステップＳ２００において、携帯端末２０からの要求信号を受信したか否かについて通信部１３の出力信号に基づいて判定する。
【０１０１】
このとき、マイクロコンピュータ１１は、ステップＳ２００において、携帯端末２０からの要求信号を受信したとして、ＹＥＳと判定する。
【０１０２】
これに伴い、マイクロコンピュータ１１は、ステップＳ２３０において、携帯端末２０からの要求信号に含まれる識別情報が予め登録されている登録情報に一致するか否かを判定する。このとき、要求信号に含まれる識別情報と登録情報とが一致したとき、認証が成功であるとして、ステップＳ２３０において、ＹＥＳと判定する。
【０１０３】
このとき、マイクロコンピュータ１１は、電力検出器１２によって、商用電力系統２および電気機器群４０のうち一方から他方へ供給される瞬時電力値を検出する（ステップＳ２１０）。
【０１０４】
これに加えて、マイクロコンピュータ１１は、瞬時電力値を含む瞬時電力値情報を通信部１３から送信させる（ステップＳ２２０）。このため、スマートメーター１０の通信部１３は、アンテナ１３ａから瞬時電力値情報を送信する。
【０１０５】
このとき、携帯端末２０のマイクロコンピュータ２１は、通信部２３を介してスマートメーター１０から電力制御装置５０を介して受信したか否かを判定する（ステップＳ１３０）。
【０１０６】
ここで、マイクロコンピュータ２１は、瞬時電力値情報を受信していないとき、ステップＳ１３０Ａにおいて、ＮＯと判定する。
【０１０７】
これに伴い、マイクロコンピュータ２１は、要求信号を送信してから一定期間Ｔｂ経過したか否かを判定する（ステップＳ１４３：失敗判定部）。一定期間Ｔｂは、要求信号を送信してから瞬時電力値情報の応答を待ち受けることを許容する時間である。瞬時電力値情報を取得することに失敗したか否かを判定するために用いる時間である。一定期間Ｔｂとしては、一定期間Ｔａ（＞一定期間Ｔｂ）よりも短い時間が設定されている。一定期間Ｔｂとしては、例えば、２０ｓｅｃが用いられている。
【０１０８】
ここで、マイクロコンピュータ２１は、ステップＳ１４３において、要求信号を送信してから経過した時間が一定期間Ｔｂ未満であるときには、ＮＯと判定する。これに伴い、ステップＳ１３０に戻る。
【０１０９】
このため、瞬時電力値情報を受信しなく、かつ要求信号を送信してから経過した時間が一定期間Ｔｂ未満である状態が継続すると、ステップＳ１３０のＮＯ判定、およびステップＳ１４３のＮＯ判定を繰り返す。
【０１１０】
その後、マイクロコンピュータ２１は、通信部２３を介して瞬時電力値情報を受信すると、ステップＳ１３０ＡにおいてＹＥＳと判定する。
【０１１１】
これに加えて、マイクロコンピュータ２１は、要求信号に対するスマートメーター１０からの応答が正常であるとして、ステップＳ１４４（失敗判定部）でＹＥＳと判定する。
【０１１２】
これに伴い、マイクロコンピュータ２１は、図１２（ａ）或いは図１２（ｂ）に示すように、瞬時電力値情報に基づいて、タッチパネル２２における電力情報取得ボタン２２ａの表示を更新させる（ステップＳ１４０ａ）。
【０１１３】
このとき、電力情報取得ボタン２２ａは、瞬時電力値２２ｂおよび電力識別アイコン２２ｃを含んでいる。このことにより、要求信号に対応してスマートメーター１０から取得した瞬時電力値情報に基づいて瞬時電力値２２ｂの表示および電力識別アイコン２２ｃの表示を更新させる。
【０１１４】
次に、マイクロコンピュータ２１は、要求信号を送信してから一定期間Ｔａ経過したか否かを判定する（ステップＳ１４５）。一定期間Ｔａは、スマートメーター１０へのアクセスを制限する時間である。一定期間Ｔａとしては、例えば、６０ｓｅｃが用いられている。
【０１１５】
ここで、マイクロコンピュータ２１は、ステップＳ１４５において、要求信号を送信してから経過した時間が一定期間Ｔａ未満であるときには、ＮＯと判定する。
【０１１６】
これに加えて、マイクロコンピュータ２１は、ステップスマートメーター１０への要求信号の送信を停止した状態を維持する（ステップＳ１４７：停止部）。さらに、マイクロコンピュータ２１は、スマートメーター１０へのアクセスが制限中であり、スマートメーター１０から瞬時電力値情報を取得することができない旨を電力情報取得ボタン２２ａに表示させる（ステップＳ１４６：アクセス制限表示制御部）。
【０１１７】
具体的には、電力情報取得ボタン２２ａにおいて、電力値取得可能アイコン２２ｄの表示を停止させる。つまり、電力情報取得ボタン２２ａのうち瞬時電力値２２ｂの下側表示を消去する。
【０１１８】
このことにより、スマートメーター１０へのアクセスが制限中であり、電力情報取得ボタン２２ａを押下しても瞬時電力値を取得することができない旨をユーザに通知することになる。その後、ステップＳ１４５に戻る。
【０１１９】
このため、要求信号を送信してから経過した時間が一定期間Ｔａ未満である限り、マイクロコンピュータ２１は、ステップＳ１４５におけるＮＯ判定、アクセスの制限表示処理（ステップＳ１４６）、および要求停止処理（ステップＳ１４７）を繰り返す。
【０１２０】
このことにより、要求信号の送信後、電力情報取得ボタン２２ａの瞬時電力値２２ｂの表示の更新後、一定期間Ｔａが終了する迄、電力情報取得ボタン２２ａにおいて、「スマートメーター１０へのアクセスが制限中であり、電力情報取得ボタン２２ａを押下しても瞬時電力値を取得することができない旨」を表示する。
【０１２１】
その後、要求信号を送信してから経過した時間が一定期間Ｔａよりも長くなると、マイクロコンピュータ２１は、ステップＳ１４５においてＹＥＳと判定する。つまり、スマートメーター１０へのアクセスを制限すべき期間が終了した判定する。
【０１２２】
これに伴い、マイクロコンピュータ２１は、ステップＳ１４８において、スマートメーター１０から瞬時電力値を取得することが可能である旨を電力情報取得ボタン２２ａに表示させる。
【０１２３】
具体的には、電力情報取得ボタン２２ａにおいて、電力値取得可能アイコン２２ｄを表示させる（図８（ａ）、図８（ｂ）参照）。
【０１２４】
このことにより、ユーザが瞬時電力値を知りたいときにユーザが電力情報取得ボタン２２ａへ押下（或いはタッチ操作）することを促進させることができる。その後、ステップＳ１００に戻る。
【０１２５】
また、マイクロコンピュータ２１は、上記ステップＳ１４３において、要求信号を送信してから経過した時間が一定期間Ｔｂよりも長くなると、ＹＥＳと判定する。このことにより、要求信号を送信してから瞬時電力値情報の応答を待ち受けることを許容する時間が終了したと判定することになる。
【０１２６】
つまり、携帯端末２０にとって瞬時電力値情報を取得することに失敗したと判定されることになる。
【０１２７】
その後、マイクロコンピュータ２１は、要求信号を送信してから一定期間Ｔａ経過したか否かを判定する（ステップＳ１５０）。
【０１２８】
一定期間Ｔａは、上述の如く、スマートメーター１０へのアクセスを制限する時間である。一定期間Ｔａとしては、例えば、６０ｓｅｃが用いられている。
【０１２９】
ここで、マイクロコンピュータ２１は、ステップＳ１５０において、要求信号を送信してから経過した時間が一定期間Ｔａ未満であるときには、ＮＯと判定する。これに加えて、マイクロコンピュータ２１は、スマートメーター１０への要求信号の送信を停止した状態を維持する（ステップＳ１５３）。
【０１３０】
このため、要求信号を送信してから経過した時間が一定期間Ｔａ未満である限り、マイクロコンピュータ２１は、ステップＳ１５０におけるＮＯ判定、および要求停止処理（ステップＳ１５３）を繰り返す。
【０１３１】
このことにより、要求信号の送信後にて、瞬時電力値２２ｂの表示を更新してから、一定期間Ｔａが終了するまで、電力情報取得ボタン２２ａにおいて電力情報取得中アイコン２２ｅの表示（図１１（ａ）、（ｂ）参照）を継続する。
【０１３２】
電力情報取得中アイコン２２ｅは、上述の如く、スマートメーター１０から瞬時電力値を取得中であることを示している。
【０１３３】
このことにより、要求信号の送信後、瞬時電力値２２ｂの表示を更新してから、一定期間Ｔａが終了するまで、スマートメーター１０への要求信号の送信を停止した状態で、「瞬時電力値を取得中であるため瞬時電力値を取得することができない旨」をユーザに通知することになる。その後、ステップＳ１５０に戻る。
【０１３４】
その後、要求信号を送信してから経過した時間が一定期間Ｔａよりも長くなると、マイクロコンピュータ２１は、ステップＳ１５０においてＹＥＳと判定する。つまり、スマートメーター１０へのアクセスを制限すべき期間が終了した判定する。
【０１３５】
これに伴い、マイクロコンピュータ２１は、タッチパネル２２において、瞬時電力値の取得を失敗し、かつスマートメーター１０から瞬時電力値を取得することが可能である旨を電力情報取得ボタン２２ａに表示させる（ステップＳ１５４：失敗表示制御部）。
【０１３６】
具体的には、図１３に示すように、電力情報取得ボタン２２ａにおいて、瞬時電力値２２ｂの表示を消去した状態で、電力情報取得中アイコン２２ｅに代えて電力値取得可能アイコン２２ｄを表示させる。
【０１３７】
これに加えて、電力情報取得ボタン２２ａにおいて、電力識別アイコン２２ｃに代わる瞬時電力値非表示アイコン２２ｆを表示させる。ここで、瞬時電力値非表示アイコン２２ｆは、電力情報取得ボタン２２ａにおいて、瞬時電力値の表示を消去していることを示すアイコンである。
【０１３８】
このことにより、スマートメーター１０から瞬時電力値の取得を失敗したことを通知し、かつユーザが瞬時電力値を知りたいときにユーザが押下することをユーザに促進させることができる。
【０１３９】
また、図１０のスマートメーター１０のマイクロコンピュータ１１は、ステップＳ２３０において、携帯端末２０からの要求信号に含まれる識別情報が予め登録されている登録情報に不一致であるとき、認証が失敗であるとして、ステップＳ２３０において、ＮＯと判定する。
【０１４０】
これに伴い、スマートメーター１０のマイクロコンピュータ１１は、ステップＳ２３１において、認証が失敗である旨を示す認証失敗信号を通信部１３から送信させる。このため、通信部１３はアンテナ１３ａから認証失敗信号を電波を介して送信する。
【０１４１】
一方、携帯端末２０の通信部２３は、アンテナ２３ａを通して認証失敗信号を受信する。
これに伴い、携帯端末２０のマイクロコンピュータ２１は、通信部２３の出力信号に基づいて、ステップＳ１３０ＡでＹＥＳと判定し、かつ要求信号に対するスマートメーター１０からの応答が異常であるとしてステップＳ１４４でＮＯと判定する。
【０１４２】
つまり、瞬時電力値を取得することを失敗したと判定されることになる。これに伴い、ステップＳ１５０に移行する。このため、上述と同様に、ステップＳ１５３、Ｓ１５４の各制御処理を実行する。
【０１４３】
このため、瞬時電力値を取得することを失敗したと判定した場合に、一定期間Ｔａが終了するまで、電力情報取得ボタン２２ａの電力情報取得中アイコン２２ｅの表示を継続させる。
【０１４４】
その後、一定期間Ｔａが終了すると、マイクロコンピュータ２１は、タッチパネル２２において、瞬時電力値の取得を失敗し、かつスマートメーター１０から瞬時電力値を取得することが可能である旨を電力情報取得ボタン２２ａに表示させる。
【０１４５】
具体的には、図１３に示すように、電力情報取得ボタン２２ａにおいて、瞬時電力値２２ｂの表示を消去した状態で、電力情報取得中アイコン２２ｅに代わる電力値取得可能アイコン２２ｄと、電力識別アイコン２２ｃに代わる瞬時電力値非表示アイコン２２ｆとを表示させる。
【０１４６】
以上説明した本実施形態によれば、携帯端末２０は、タッチパネル２２の電力情報取得ボタン２２ａをユーザが押下されたとしてステップＳ１１０でＹＥＳと判定したとき、瞬時電力値の取得を要求するための要求信号をスマートメーター１０に対して送信するステップＳ１２０を備える。
【０１４７】
携帯端末２０は、要求信号に応答してスマートメーター１０から送信される瞬時電力値情報に基づいて瞬時電力値をタッチパネル２２に表示させるステップＳ１４０を備える。
【０１４８】
このことにより、上記第１実施形態と同様に、高頻度でアクセスすることができないスマートメーター１０に対しても、ユーザが瞬時電力値を知りたいと思った瞬間の瞬時電力値を取得して携帯端末２０のタッチパネル２２に表示させることができる。
【０１４９】
本実施形態では、マイクロコンピュータ２１は、タッチパネル２２の電力情報取得ボタン２２ａに対してユーザから押下されたときから、電力情報取得ボタン２２ａに瞬時電力値を表示させる迄の間に、瞬時電力値情報をスマートメーター１０から取得中である旨（例えば“取得中”の表示）を電力情報取得ボタン２２ａに表示させる。
【０１５０】
ここで、ユーザが電力情報取得ボタン２２ａを押すことで電力情報取得を行う場合、取得中であることが分かる表示をしないと、瞬時電力値の表示が更新されるまでの間、ユーザはタッチパネル２２への操作が受け付けられているのか否かが心配になるおそれがある。
【０１５１】
特に、スマートメーター１０からの瞬時電力値情報の取得に時間がかかる場合、より顕著になる。
【０１５２】
これに対して、本実施形態では、上述の如く、瞬時電力値情報をスマートメーター１０から取得中である旨を電力情報取得ボタン２２ａに表示させることで、ユーザにとって電力情報取得中であることが分かるようになる。これにより、ユーザの心配を解消することができる。
【０１５３】
本実施形態では、携帯端末２０は、要求信号をスマートメーター１０に対して送信したときから一定期間Ｔａの間に亘って、スマートメーター１０に要求信号を送信することを停止する。
【０１５４】
携帯端末２０は、上記一定期間Ｔａの間に亘って、スマートメーター１０へアクセスすることが制限されて瞬時電力値情報をスマートメーター１０から取得することができない旨をタッチパネル２２に表示させる。
【０１５５】
ここで、ユーザが電力情報取得ボタン２２ａを押下することで瞬時電力値情報の取得を行う場合、スマートメーター１０へのアクセス頻度を下げるために一定期間（例えば1分間）電力制御装置５０からスマートメーター１０への要求信号を送信することを停止する必要がある。
【０１５６】
この一定期間Ｔａの間における電力情報取得ボタン２２ａが、上述した電力値取得可能アイコン２２ｄを含む通常の電力情報取得ボタン２２ａと同じ表示であると、ユーザは電力情報取得ボタン２２ａを押下しているのに瞬時電力値の表示が更新されないという不満を持つおそれがある。
【０１５７】
これは、ユーザにとってスマートメーター１０へのアクセスが制限中であることが分かるようにタッチパネル２２の表示がされていないことが原因である。
【０１５８】
これに対して、本実施形態では、携帯端末２０のタッチパネル２２において、スマートメーター１０へのアクセスが制限中である旨をユーザに対して表示する。これにより、ユーザが上述の不満を持つことを未然に抑制することができる。
【０１５９】
本実施形態では、携帯端末２０のマイクロコンピュータ２１は、スマートメーター１０からの瞬時電力値の取得に失敗した判定がなされても、アクセス制限期間Ｔａが終了するまでは、タッチパネル２２において電力情報取得中の表示を継続する。
【０１６０】
さらに、携帯端末２０のマイクロコンピュータ２１は、アクセス制限期間Ｔａが終了した後に瞬時電力値の取得に失敗したことをタッチパネル２２に表示し、かつ電力情報取得ボタン２２ａにおいて瞬時電力値が取得可能であることを示す電力値取得可能アイコン２２ｄを表示する。
【０１６１】
ここで、携帯端末２０とスマートメーター１０との間の通信路の状態やスマートメーター１０の状態によってはユーザが携帯端末２０の電力情報取得ボタン２２ａを押下して要求信号が送信されても、携帯端末２０は、スマートメーター１０からの瞬時電力値の取得に失敗する場合がある。
【０１６２】
また、上記のようにスマートメーター１０へのアクセスに制限がある場合、瞬時電力値の取得に失敗したことが判定されたタイミングでユーザに瞬時電力値の取得に失敗したことを通知すると、ユーザは再度、電力情報取得ボタン２２ａへの押下を試みたいが、アクセス制限中により瞬時電力値の取得が行えない（つまり、電力情報取得ボタン２２ａを押下できない）こととなり、ユーザが不満を持つおそれがある。
【０１６３】
これは、アクセス制限期間Ｔａ（例えば1分）が情報取得失敗の判定時間Ｔｂ（例えば20秒）より長い場合に、瞬時電力値の取得が失敗したと判定されたタイミングでユーザに失敗を通知してしまっているためである。
【０１６４】
これに対して、本実施形態では、携帯端末２０のマイクロコンピュータ２１は、瞬時電力値の取得に失敗したと判定してもアクセス制限期間中であれば、瞬時電力値の取得に失敗したことをユーザに通知せず、“瞬時電力値の取得中”の表示を継続する。
【０１６５】
その後、携帯端末２０のマイクロコンピュータ２１は、アクセス制限期間Ｔａが完了した後に失敗を通知する。これにより、ユーザは瞬時電力値の取得の失敗が分かったタイミングで再度、電力情報取得ボタン２２ａを押下することができるので、不満を持つことがなくなる。
（第３実施形態）
本第３実施形態では、上記第１、第２実施形態において、日付が変更されたとき、瞬時電力値の表示と瞬時電力値の取得時刻の表示とを消す例について図１４を参照して説明する。
【０１６６】
本実施形態のエネルギー管理システム１のハードウェア構成と上記第１実施形態のエネルギー管理システム１のハードウェア構成とは、同一である。
【０１６７】
本実施形態の携帯端末２０のマイクロコンピュータ２１は、リセット表示処理を図１４のフローチャートにしたがって実行する。マイクロコンピュータ２１は、リセット表示処理と図５（ａ）（或いは図９）の電力値表示制御処理とを時分割で交互に実行する。
【０１６８】
まず、マイクロコンピュータ２１は、ステップＳ１６０（日付判定部）において、内蔵時計の計時に基づいて、日付が変更されたか否かを判定する。
【０１６９】
このとき、マイクロコンピュータ２１は、ステップＳ１６０において、日付が変更されていないとしてＮＯと判定すると、再び、ステップＳ１６０に戻る。
【０１７０】
その後、内部時計の計時が進んで、瞬時電力値を取得した日にちの午前０時を超えて瞬時電力値を取得した日から次の日付に変更になったときには、マイクロコンピュータ２１は、ステップＳ１６０において、ＹＥＳと判定する。
【０１７１】
すると、マイクロコンピュータ２１は、タッチパネル２２において、図１５に示すように、電力情報取得ボタン２２ａのうち瞬時電力値の表示と瞬時電力値の取得時刻の表示とを消す（ステップＳ１６１：表示消去制御部）。
【０１７２】
図１５の電力情報取得ボタン２２ａの具体例では、瞬時電力値の取得時刻として、"更新時刻”と表示されている。図１５の電力情報取得ボタン２２ａでは、瞬時電力値非表示アイコン２２ｆが表示されている。
【０１７３】
ここで、図１３、図１５に示すように電力情報取得ボタン２２ａに瞬時電力値を表示しない場合と、電力情報取得ボタン２２ａに瞬時電力値を表示する場合（図７、図８、図１１、図１２参照）とは、電力情報取得ボタン２２ａの表示色が相違する。
【０１７４】
ここで、表示色とは、電力情報取得ボタン２２ａのうちアイコン２２ｃ、２２ｂ、２２ｄ、２２ｅ、２２ｆ等の背景の表示色のことである。なお、図７、図８、図１１、図１２では、背景がハッチングで表示され、図１３、図１５では、背景が白色になっている具体例を示している。
【０１７５】
以上説明した本実施形態によれば、携帯端末２０のマイクロコンピュータ２１は、スマートメーター１０から取得した最新の瞬時電力値とその取得時刻をタッチパネル２２に表示し、日付が変わったときには、この瞬時電力値と取得時刻をクリアする。
【０１７６】
ここで、タッチパネル２２に表示されている瞬時電力値が、いつ取得したものであるかを分かるように取得時刻を表示する必要がある。年月日まで表示してしまうと煩わしいため時刻に限定して表示した場合、ユーザが数日前の情報を今日の情報と勘違いしてしまうおそれがある。
【０１７７】
これに対して、本実施形態では、日付が変わったときには瞬時電力値の表示と取得時刻の表示をクリアすることで、ユーザが勘違いすることを防げる。瞬時電力値という性質上、数日前の古い情報を残しておくメリットも少ない。
（第４実施形態）
本第４実施形態では、上記第１、第２実施形態において、スマートメーター１０および電力制御装置５０の間で携帯端末２０が瞬時電力値を取得するのに必要となる通信以外の他の通信を実施しているときには、「他の通信を実施中であり、携帯端末２０が瞬時電力値を取得することができない旨」をタッチパネル２２に表示させる例について図１６、図１７、図１８（ａ）（ｂ）を参照して説明する。
【０１７８】
本実施形態のエネルギー管理システム１のハードウェア構成と上記第１実施形態のエネルギー管理システム１のハードウェア構成とは、同一である。
【０１７９】
本実施形態のエネルギー管理システム１と上記第１実施形態のエネルギー管理システム１とは、電力制御装置５０および携帯端末２０の制御処理が相違する。以下、電力制御装置５０の制御処理および携帯端末２０の制御処理について別々に説明する。
【０１８０】
（電力制御装置５０）
電力制御装置５０のマイクロコンピュータ５１は、図１６のフローチャートにしたがって通信判定処理を実行する。通信判定処理は、一定期間毎に繰り返し実行される。
【０１８１】
まず、電力制御装置５０のマイクロコンピュータ５１は、ステップＳ４００において、
スマートメーター１０および電力制御装置５０の間で他の通信を実施しているか否かを判定する。
【０１８２】
他の通信とは、携帯端末２０がスマートメーター１０から電力制御装置５０を通して瞬時電力値を取得するのに必要となる通信以外の他の通信である。他の通信とは、例えば、電力制御装置５０がスマートメーター１０から電力積算値を取得したり、スマートメーター１０および電力制御装置５０との間で認証の更新を実施するための通信である。
【０１８３】
このとき、電力制御装置５０のマイクロコンピュータ５１は、ステップＳ４００において、スマートメーター１０および電力制御装置５０の間で他の通信を実施しているときには、ＹＥＳと判定する。
【０１８４】
この場合、マイクロコンピュータ５１は、ステップＳ４１０において、スマートメーター１０および電力制御装置５０の間で他の通信を実施している旨を第１判定結果信号として通信部５２から送信させる。これに伴い、通信部５２は、アンテナ５２ａから第１判定結果信号を電波を介して送信する。
【０１８５】
一方、電力制御装置５０のマイクロコンピュータ５１は、ステップＳ４００において、スマートメーター１０および電力制御装置５０の間で他の通信を実施していないときには、ＮＯと判定する。
【０１８６】
この場合、マイクロコンピュータ５１は、ステップＳ４２０において、スマートメーター１０および電力制御装置５０の間で他の通信を実施していない旨を第２判定結果信号として通信部５２から送信させる。これに伴い、通信部５２は、アンテナ５２ａから第２判定結果信号を電波を介して送信する。
【０１８７】
このように電力制御装置５０のマイクロコンピュータ５１は、スマートメーター１０および電力制御装置５０の間で他の通信を実施しているか否かを判定し、この判定結果を示す第１判定結果信号或いは第２判定結果信号を送信する。
【０１８８】
（携帯端末２０）
携帯端末２０のマイクロコンピュータ２１は、図１７のフローチャートにしたがって他の通信表示処理を実行する。マイクロコンピュータ２１は、他の通信表示処理と図５（ａ）（或いは、図９）の電力値表示制御処理とを時分割で交互に実行する。図１７において、図５（ａ）と同一符号は同一ステップを示し、その説明を省略する。
【０１８９】
まず、携帯端末２０のマイクロコンピュータ２１は、上記第１実施形態と同様、タッチパネル２２において電力情報取得ボタン２２ａを表示させる（ステップＳ１００）。
【０１９０】
次に、マイクロコンピュータ２１は、ステップＳ１７０（通信判定部）において、スマートメーター１０および電力制御装置５０の間で他の通信を実施しているか否かを判定する。
【０１９１】
このとき、マイクロコンピュータ２１は、通信部２３を介して第１判定結果信号を受信しているときには、スマートメーター１０および電力制御装置５０の間で他の通信を実施しているとしてステップＳ１７０においてＹＥＳと判定する。
【０１９２】
これに伴い、マイクロコンピュータ２１は、他の通信の実施中である旨をタッチパネル２２に表示する（ステップ１７１：取得不能表示制御部）。
【０１９３】
具体的には、マイクロコンピュータ２１は、図１８（ａ）或いは図１８（ｂ）に示すように、タッチパネル２２において、電力情報取得ボタン２２ａのうち他の通信表示アイコン２２ｈを電力値取得可能アイコン２２ｄに代えて表示する。
【０１９４】
このことにより、スマートメーター１０および電力制御装置５０の間で他の通信を実施しているため、携帯端末２０がスマートメーター１０から電力制御装置５０を介して瞬時電力値情報を取得することができない旨をユーザに通知することができる。
【０１９５】
一方、マイクロコンピュータ２１は、通信部２３を介して第２判定結果信号を受信しているときには、スマートメーター１０および電力制御装置５０の間で他の通信を実施していないとしてステップＳ１７０においてＮＯと判定する。
【０１９６】
このことにより、スマートメーター１０および電力制御装置５０の間で他の通信を実施していないため、携帯端末２０がスマートメーター１０から電力制御装置５０を介して瞬時電力値情報を取得することができると判定されることになる。
【０１９７】
その後、マイクロコンピュータ２１は、上記第１実施形態と同様、ステップＳ１１０、Ｓ１２０、Ｓ１３０、Ｓ１４０の各制御処理を実施する。なお、本実施形態では、ステップＳ１１０でＮＯと判定されるとステップＳ１７０の判定処理を実行する。
【０１９８】
以上説明した本実施形態によれば、携帯端末２０は、スマートメーター１０および電力制御装置５０の間で他の通信を行っている期間は、瞬時電力値情報を取得可能である期間に対して、タッチパネル２２の電力情報取得ボタン２２ａにおいて異なる表示とし、他の通信を行っているため電力情報取得が行えないことを示す他の通信表示アイコン２２ｈ（例えば「準備中．．．」）を表示する。
【０１９９】
ここで、スマートメーター１０および電力制御装置５０の間では瞬時電力値の取得以外にも積算電力量の取得や認証の更新といった他の通信処理が行われる。他の通信処理が行われているときに、携帯端末２０がスマートメーター１０に対して電力制御装置５０を介して瞬時電力値を取得するための通信を行ってしまうと他の通信処理に悪影響を及ぼすことが懸念されるので、他の通信処理が行われている間は、瞬時電力の取得を行わないようにする必要がある。
【０２００】
しかし、この他の通信処理が行われている期間に電力情報取得ボタン２２ａが通常時（すなわち、スマートメーター１０から携帯端末２０が瞬時電力値を取得できる状態）と同じ表示であると、ユーザは電力情報取得ボタン２２ａを押下しているのに瞬時電力値の表示が更新されないという不満を持つおそれがある。
【０２０１】
これは、スマートメーター１０および電力制御装置５０の間で他の通信処理が行われているので、携帯端末２０が瞬時電力値を取得できない状態であることがユーザに分かるように表示がされていないことが原因である。
【０２０２】
これに対して、本実施形態では、携帯端末２０のタッチパネル２２においてスマートメーター１０および電力制御装置５０の間で他の通信処理が行われていることが分かるようにユーザに表示する。
【０２０３】
したがって、ユーザは電力情報取得ボタン２２ａを押下しているのに瞬時電力値の表示が更新されないという不満を持つことを未然に抑制することができる。
（第５実施形態）
上記第１〜第４実施形態では、ユーザが携帯端末２０への操作に応じて携帯端末２０がスマートメーター１０から瞬時電力値を取得してタッチパネル２２に表示する例について説明した。これに加えて、携帯端末２０がスマートメーター１０から電力制御装置５０を介して瞬時電力値を定期的に取得してタッチパネル２２における瞬時電力値の表示を更新する本第５実施形態について図１９を参照して説明する。
【０２０４】
本実施形態のエネルギー管理システム１のハードウェア構成と上記第１実施形態のエネルギー管理システム１のハードウェア構成とは、同一である。
【０２０５】
本実施形態のエネルギー管理システム１と上記第１実施形態のエネルギー管理システム１とは、電力制御装置５０の制御処理および携帯端末２０の制御処理が相違する。以下、電力制御装置５０の制御処理および携帯端末２０の制御処理について別々に説明する。
【０２０６】
（電力制御装置５０）
電力制御装置５０のマイクロコンピュータ５１は、図１９（ａ）のフローチャートにしたがって定期電力値転送処理を実行する。定期電力値転送処理は、繰り返し実行される。
【０２０７】
まず、電力制御装置５０のマイクロコンピュータ５１は、ステップＳ３００において、定期要求信号を前回送信してから一定期間Ｔｃ以上経過したか否かを判定する。
【０２０８】
定期要求信号は、ユーザからの操作に応じて携帯端末２０から送信される要求信号とは異なり、電力制御装置５０から自発的に送信される要求信号である。
【０２０９】
ここで、マイクロコンピュータ５１は、ステップＳ３００において、定期要求信号を前回送信してから経過した時間が一定期間Ｔｃ未満であるときには、ＮＯと判定する。これに伴い、ステップＳ３００に戻る。
【０２１０】
このため、定期要求信号を前回送信してから経過した時間が一定期間Ｔｃ未満である限り、ステップＳ３００においてＮＯと判定する。その後、定期要求信号を前回送信してから経過した時間が一定期間Ｔｃ以上になると、マイクロコンピュータ５１は、ステップＳ３００において、ＹＥＳと判定する。
【０２１１】
これに伴い、マイクロコンピュータ５１は、ステップＳ３１０（送信部）において、定期要求信号を通信部５２から送信させる。このため、通信部５２はアンテナ５２ａから定期要求信号を電波を介して送信する。
【０２１２】
ここで、スマートメーター１０のマイクロコンピュータ１１は、ステップＳ２００において、携帯端末２０からの要求信号を受信したとして、ＹＥＳと判定する。
【０２１３】
このとき、マイクロコンピュータ１１は、電力検出器１２によって、商用電力系統２および電気機器群４０のうち一方から他方へ供給される瞬時電力値を検出する（ステップＳ２１０）。
【０２１４】
これに加えて、マイクロコンピュータ１１は、瞬時電力値を含む瞬時電力値情報を通信部１３から送信させる（ステップＳ２２０）。このため、通信部１３は、アンテナ１３ａから瞬時電力値情報を電波を介して送信する。
【０２１５】
このような瞬時電力値情報は、電力制御装置５０のアンテナ５２ａを介して通信部５２で受信される。
【０２１６】
このとき、電力制御装置５０のマイクロコンピュータ５１は、通信部５２を介して瞬時電力値情報を受信したか否かを判定する（ステップＳ３２０）。
【０２１７】
このとき、通信部５２がアンテナ５２ａを介して瞬時電力値情報を受信していない場合には、マイクロコンピュータ５１は、瞬時電力値情報を受信していないとして、ステップＳ３２０において、ＮＯと判定する。これに伴い、ステップＳ３２０に戻る。
【０２１８】
このため、マイクロコンピュータ５１は、通信部５２がアンテナ５２ａを介して瞬時電力値情報を受信する迄の間、瞬時電力値情報を受信していないとして、ステップＳ３２０のＮＯ判定を繰り返す。
【０２１９】
その後、通信部５２がアンテナ５２ａを介して瞬時電力値情報を受信すると、マイクロコンピュータ５１は、瞬時電力値情報を受信したとして、ステップＳ３２０のＹＥＳと判定する。
【０２２０】
これに伴い、マイクロコンピュータ５１は、通信部５２から瞬時電力値情報を携帯端末２０に転送させる（ステップＳ３３０：転送部）。このため、通信部５２はアンテナ５２ａから瞬時電力値情報を電波を介して送信させる。
【０２２１】
このようにマイクロコンピュータ５１は、定期要求信号を一定期間Ｔｃ毎に送信し、この定期要求信号に対応してスマートメーター１０から送信される瞬時電力値情報を携帯端末２０に転送させる。
【０２２２】
（携帯端末２０）
携帯端末２０のマイクロコンピュータ２１は、図１９（ｂ）のフローチャートにしたがって電力値表示更新処理を実行する。マイクロコンピュータ２１は、電力値表示更新処理と図５（ａ）（或いは、図９）の電力値表示制御処理とを時分割で交互に実行する。
【０２２３】
まず、携帯端末２０のマイクロコンピュータ２１は、ステップＳ１８０において、瞬時電力値情報を通信部２３を介して受信したか否かを判定する。
【０２２４】
このとき、マイクロコンピュータ２１は、ステップＳ１８０において、瞬時電力値情報を通信部２３を介して受信したときにＹＥＳと判定する。
【０２２５】
これに伴い、マイクロコンピュータ２１は、瞬時電力値情報に基づいてタッチパネル２２において電力情報取得ボタン２２ａの瞬時電力値の表示を更新する（ステップＳ１８１：表示更新制御部）。
【０２２６】
以上により、携帯端末２０は、スマートメーター１０から電力制御装置５０を介して的的に送信される瞬時電力値情報に基づいて、タッチパネル２２において電力情報取得ボタン２２ａの瞬時電力値の表示を定期的に更新することができる。
【０２２７】
以上説明した本実施形態によれば、携帯端末２０は、ユーザの電力情報取得ボタン２２ａへの押下による瞬時電力値の情報取得に加えて、電力制御装置５０が定期的にスマートメーター１０からの瞬時電力値を取得して瞬時電力値の表示を更新する。
【０２２８】
ここで、携帯端末２０において瞬時電力値をリアルタイムに見たいユーザもいれば、少し前の情報でもいいので、瞬時電力値の表示が自動で更新されているほうがよいユーザもいる。
【０２２９】
そこで、本実施形態の携帯端末２０は、上記第１〜第４実施形態と同様にユーザの電力情報取得ボタン２２ａへの押下による瞬時電力値の取得に加えて、自動で定期的に瞬時電力値を取得する。
【０２３０】
これにより、携帯端末２０において、情報取得ボタン２２ａへユーザが押下されたときに瞬時電力値の表示が更新されるだけでなく、一定期間毎に瞬時電力値の表示を更新することにより、上述の両方のタイプのユーザのニーズを満足させることができる。
【０２３１】
（他の実施形態）
（１）上記第１〜第５実施形態では、本発明の端末として携帯端末２０を用いた例について説明したが、これに限らず、設置型のコンピュータやノートパソコンを本発明の端末としてもよい。
（２）上記第１〜第５実施形態では、スマートメーター１０、携帯端末２０、および電力制御装置５０によってエネルギー管理システムを構成した例について説明したが、これに代えて、スマートメーター１０および携帯端末２０によってエネルギー管理システムを構成してもよい。
【０２３２】
この場合、電力制御装置５０を除外してスマートメーター１０および携帯端末２０の間で無線通信を実施して携帯端末２０がスマートメーター１０から直接、瞬時電力値情報を取得して表示させるようにしてもよい。
（３）上記第１〜第５実施形態では、スマートメーター１０および電力制御装置５０の間の通信を無線通信とした例について説明したが、これに代えて、スマートメーター１０および電力制御装置５０の間の通信を有線通信としてもよい。
【０２３３】
或いは、スマートメーター１０および電力制御装置５０の間の通信を電波以外の媒体（例えば超音波や光等）を用いる無線通信を用いてもよい。
（４）上記第１〜第５実施形態では、携帯端末２０および電力制御装置５０の間の通信を無線通信とした例について説明したが、これに代えて、携帯端末２０および電力制御装置５０の間の通信を有線通信としてもよい。
【０２３４】
或いは、携帯端末２０および電力制御装置５０の間の通信として、電波以外の媒体（例えば超音波や光等）を用いる無線通信を用いてもよい。
（５）上記第１〜第５実施形態では、携帯端末２０において表示部および操作部を兼ねるタッチパネル２２を用いた例について説明したが、これに代えて、表示部および操作部をそれぞれ独立して構成するようにしてもよい。
（６）上記第１〜第５実施形態では、本発明の電力系統として、商用電力系統２を用いる例について説明したが、これに限らず、ユーザが管理している私用の電力系統を本発明の電力系統としてもよい。
（７）上記第１〜第５実施形態では、エネルギー管理システムを住宅に適用した例について説明したが、これに代えて、住宅以外の商業施設等の各種の施設にエネルギー管理システムを適用してもよい。
（８）上記第１〜第５実施形態では、携帯端末２０においてユーザがタッチパネル２２をの操作判定領域が押下したとき、タッチパネル２２がユーザによって操作された判定した例について説明した。これに代えて、ユーザがタッチパネル２２の操作判定領域に触れずに近づいただけでタッチパネル２２がユーザによって操作されたと判定するものを用いてもよい。
（９）上記第３実施形態では、マイクロコンピュータ２１は、ステップＳ１６０において、内蔵時計の計時に基づいて、日付が変更されたか否かを判定した例について説明したが、これに代えて、次の（ａ）（ｂ）のように判定してもよい。
（ａ）瞬時電力値を取得した日付と携帯端末２０のタッチパネル２２に表示される日付とが不整合となる場合において、タッチパネル２２に表示される日付をユーザ自らの操作によって変更したとき、マイクロコンピュータ２１は、ステップＳ１６０において、ＹＥＳと判定する。
（ｂ）携帯端末２０が外部から日付情報を取得して携帯端末２０の内部時計の日付が変更されるときにおいても、マイクロコンピュータ２１は、ステップＳ１６０において、ＹＥＳと判定する。
（１０）上記第１〜第５実施形態では、携帯端末２０がスマートメータ−１０から瞬時電力値情報を取得した取得時刻を、タッチパネル２２に表示される瞬時電力値の更新時刻とした例について説明したが、これに代えて、次の（ｃ）（ｄ）のようにしてもよい。
（ｃ）スマートメータ−１０から電力制御装置５０を経由して瞬時電力値情報を携帯端末２０が受信する場合に、スマートメータ−１０からの瞬時電力値情報を電力制御装置５０が受信した受信時刻をタッチパネル２２に表示される瞬時電力値の更新時刻とする。
【０２３５】
この場合、電力制御装置５０が受信した受信時刻を瞬時電力値情報に付加して携帯端末２０に送信する。このことにより、電力制御装置５０が携帯端末２０に受信時刻に通知することになる。
（ｄ）スマートメータ−１０の電力検出器１２が瞬時電力値を検出した検出時刻をタッチパネル２２に表示される瞬時電力値の更新時刻とする。
【０２３６】
この場合、スマートメータ−１０が検出時刻を瞬時電力値情報に付加して、この検出時刻が付加された瞬時電力値情報を電力制御装置５０を経由して携帯端末２０に送信する。このことにより、スマートメータ−１０が携帯端末２０に検出時刻を通知することができる。
（１１）なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
（まとめ）
上記第１〜第５実施形態、および他の実施形態の一部または全部に記載された第１の観点によれば、端末は、電力系統および電気機器のうち一方から他方へ供給される電力の瞬時値を検出するスマートメーターとの間で通信する端末であって、
操作部に対してユーザから操作されたか否かを判定する操作判定部と、
操作部に対してユーザから操作されたと操作判定部が判定したとき、電力の瞬時値を示す瞬時電力値情報を要求するための要求信号をスマートメーターに対して送信する送信部と、要求信号に応答してスマートメーターから送信される瞬時電力値情報に基づいて電力の瞬時値を表示部に表示させる電力表示制御部と、を備える。
【０２３７】
第２の観点によれば、操作判定部は、操作部のうち操作判定領域に対してユーザが操作したか否かを判定し、操作部のうち操作判定領域と表示部のうち電力の瞬時値を表示する表示領域が重なるように表示部および操作部が構成されている。
【０２３８】
したがって、操作部のうち操作判定領域と表示部のうち電力の瞬時値を表示する表示領域とを重ねることにより、操作判定領域を拡大して、ユーザの端末への操作性を向上させることができる。
【０２３９】
第３の観点によれば、操作部に対してユーザから操作されたと操作判定部が判定したときから、電力表示制御部が電力の瞬時値を表示部に表示させる迄の間に、瞬時電力値情報をスマートメーターから取得中である旨を表示部に表示させる取得中表示制御部を備える。
【０２４０】
ここで、ユーザが操作部への操作することにより端末が瞬時電力値情報を取得する場合において、端末が「瞬時電力値情報を取得中であることが分かる表示」をしないと、瞬時電力値が更新されるまでの間、端末において操作が受け付けられているのか否かがユーザにとって心配になるおそれがある。特に、スマートメーターからの瞬時電力値情報の取得に長い時間がかかる場合、ユーザの心配はより顕著になる。
【０２４１】
そこで、上述の如く、スマートメーターから取得中である旨を表示部に表示させることにより、ユーザの心配を抑制することができる。
【０２４２】
第４の観点によれば、送信部が要求信号をスマートメーターに対して送信したときから一定期間の間に亘って、スマートメーターに要求信号を送信することを停止する停止部を備える。
【０２４３】
第５の観点によれば、送信部から要求信号をスマートメーターに対して送信することを停止部が停止している場合において、電力表示制御部が電力の瞬時値を表示部に表示させているとき、スマートメーターへアクセスすることが制限されて瞬時電力値情報をスマートメーターから取得することができない旨を表示部に表示させるアクセス制限表示制御部を備える。
【０２４４】
ここで、ユーザが端末の操作部への操作することにより端末が瞬時電力値情報を取得する場合において、スマートメーターへアクセスの頻度を下げるために一定期間の間にスマートメーターへ要求信号を送信することを停止する必要がある。
【０２４５】
この一定期間の間において、ユーザにとって、操作部へ操作しているのに瞬時電力値の表示が更新されないという不満を持つおそれがある。これは、ユーザにアクセス制限中であることが分かるように表示がされていないことが原因である。
【０２４６】
そこで、上述の如く、スマートメーターへアクセスすることが制限されて瞬時電力値情報をスマートメーターから取得することができない旨を表示部に表示させることにより、ユーザの不満を解消することができる。
【０２４７】
第６の観点によれば、端末は、送信部が要求信号をスマートメーターに対して送信した後、スマートメーターから瞬時電力値情報を取得することを失敗したか否かを判定する失敗判定部と、端末は、スマートメーターから瞬時電力値情報を取得することを失敗し、かつスマートメーターから瞬時電力値情報を取得することが可能である旨を表示部に表示させる失敗表示制御部を備える。
【０２４８】
スマートメーターから瞬時電力値情報を取得することを失敗したと失敗判定部が判定した場合において、取得中表示制御部は、一定期間（Ｔａ）が終了する迄、瞬時電力値情報をスマートメーターから取得中である旨の表示を継続させるように表示部を制御する。
【０２４９】
失敗表示制御部は、一定期間の終了後、スマートメーターから瞬時電力値情報を取得することを失敗し、かつスマートメーターから瞬時電力値情報を取得することが可能である旨を表示部に表示させる。
【０２５０】
ここで、通信路の状態やスマートメーターの状態によってはユーザが端末の操作部への操作しても、スマートメーターから瞬時電力値の取得に失敗する場合がある。
【０２５１】
また、上記のようにスマートメーターへのアクセスに制限がある場合、瞬時電力値の取得失敗が分かったタイミングでユーザに瞬時電力値の取得失敗を通知すると、ユーザは再度、ユーザが端末の操作部への操作を試みたいが、スマートメーターへアクセス制限中により瞬時電力値の取得が行えないこととなり、ユーザが不満を持つおそれがある。
【０２５２】
そこで、瞬時電力値の取得の失敗が判定されてもアクセス制限期間中であれば、瞬時電力値の取得の失敗をユーザに通知せず、瞬時電力値情報をスマートメーターから取得中である旨を端末の表示部に表示し続ける。その後、アクセス制限期間が完了した後に瞬時電力値の取得の失敗をユーザに通知する。
【０２５３】
これにより、ユーザは瞬時電力値の取得の失敗が分かったタイミングで再度瞬時電力値の取得を行うことができるので、不満を持つことがなくなる。
【０２５４】
第７の観点によれば、端末は、スマートメーターとの間で電力制御装置を介して瞬時電力値情報および要求信号を伝える通信部と、
端末自体がスマートメーターから瞬時電力値情報を取得するのに必要である通信以外の他の通信をスマートメーターおよび電力制御装置の間で行っているか否かを判定する通信判定部と、
他の通信をスマートメーターおよび電力制御装置の間で行っていると通信判定部が判定したとき、スマートメーターから瞬時電力値情報を取得することができない旨を表示部に表示させる取得不能表示制御部とを備える。
【０２５５】
ここで、スマートメーターと電力制御装置の間では、上述の他の通信として、例えば、積算電力量の取得や認証の更新といった通信処理が行われる。
【０２５６】
ここで、スマートメーターと電力制御装置の間で他の通信が行われているときに端末が瞬時電力の取得を行ってしまうと他の通信に悪影響を及ぼすことが懸念されるので、他の処理が行われている期間は、端末が瞬時電力の取得を行わないようにする必要がある。このため、他の通信が行われている期間に、ユーザは端末の操作部を操作しているので、瞬時電力値の表示が更新されないという不満を持つおそれがある。
【０２５７】
そこで、他の処理が行われている期間は、スマートメーターと電力制御装置の間で他の通信が行われていることが分かるようにユーザに対して端末の表示部に表示する。このことにより、ユーザの不満を解消することができる。
【０２５８】
第８の観点によれば、端末は、電力の瞬時値を瞬時電力値情報を取得した時刻とともに、表示部に表示させる電力表示制御部と、
瞬時電力値情報を取得した日付から日付が変更になったか否かを判定する日付判定部と、
瞬時電力値情報を取得した日付から日付が変更になったと日付判定部が判定したとき、表示部における電力の瞬時値の表示と瞬時電力値情報を取得した時刻の表示とを消去する表示消去制御部とを備える。
【０２５９】
ここで、表示されている瞬時電力値が、いつ取得したものであるかを分かるように取得時刻を表示する必要がある。年月日まで表示してしまうと煩わしいため時刻に限定して表示した場合、ユーザが数日前の情報を今日の情報と勘違いしてしまうおそれがある。
【０２６０】
そこで、日付が変わったときには瞬時電力値と取得時刻をクリアすることで、ユーザが勘違いすることを防げる。瞬時電力値という性質上、数日前の古い情報を残しておくメリットも少ない。
【０２６１】
第９の観点によれば、スマートメーターに要求信号を定期的に送信する電力制御装置を備え、スマートメーターが電力制御装置から定期的に送信される要求信号に応答して瞬時電力値情報を定期的に送信するエネルギー管理システムに適用され、スマートメーターから定期的に送信される瞬時電力値情報に基づいて、表示部における電力の瞬時値の表示を更新する表示更新制御部を備える。
【０２６２】
ここで、瞬時電力値をリアルタイムに見たいユーザもいれば、少し前の情報でもいいので、自動で瞬時電力値の表示が更新されているほうがよいユーザもいる。
【０２６３】
そこで、ユーザの要望に応じたボタン押下による瞬時電力値の取得・表示に加えて、定期的な瞬時電力値の取得・更新も自動で行うことで、両方のタイプのユーザのニーズを満足させることができる。
【０２６４】
第１０の観点によれば、請求項１ないし８のいずれか１つに記載の端末および電力制御装置を備えるエネルギー管理システムであって、
電力制御装置は、
瞬時電力値情報を要求するための要求信号を定期的にスマートメーターに送信する送信部と、
要求信号に応答してスマートメーターから送信される瞬時電力値情報を端末に転送する転送部と、を備え、
端末は、電力制御装置から転送される瞬時電力値情報に基づいて、表示部における電力の瞬時値の表示を更新する表示更新制御部を備える。
【０２６５】
第１１の観点によれば、電力系統および電気機器のうち一方から他方へ供給される電力の瞬時値を検出するスマートメーターとの間で通信する端末に適用されるプログラムであって、
操作部に対してユーザから操作されたか否かを判定する操作判定部と、
操作部に対してユーザから操作されたと操作判定部が判定したとき、電力の瞬時値を示す瞬時電力値情報を要求するための要求信号をスマートメーターに対して送信する送信部と、
要求信号に応答してスマートメーターから送信される瞬時電力値情報に基づいて電力の瞬時値を表示部に表示させる電力表示制御部として、コンピュータを機能させるプログラム。
【符号の説明】
【０２６６】
１    エネルギー管理システム
１０    スマートメーター
２０    携帯端末
２１    マイクロコンピュータ
２２    タッチパネル
２３    通信部
４０    電気機器群
５０    電力制御装置
【図１】
2019193333.tif 000003
【図２】
2019193333.tif 000004
【図３】
2019193333.tif 000005
【図４】
2019193333.tif 000006
【図５】
2019193333.tif 000007
【図６】
2019193333.tif 000008
【図７】
2019193333.tif 000009
【図８】
2019193333.tif 000010
【図９】
2019193333.tif 000011
【図１０】
2019193333.tif 000012
【図１１】
2019193333.tif 000013
【図１２】
2019193333.tif 000014
【図１３】
2019193333.tif 000015
【図１４】
2019193333.tif 000016
【図１５】
2019193333.tif 000017
【図１６】
2019193333.tif 000018
【図１７】
2019193333.tif 000019
【図１８】
2019193333.tif 000020
【図１９】
2019193333.tif 000021